(57)【要約】端末装置が、ＰＳ無線技術およびＣＳ無線技術と同時に通信できない場合に、通信トラフィック、例えば音声呼のパケット交換（ＰＳ）ドメインから回線交換（ＣＳ）ドメインへの移動を調整する方法および装置が記載される。そのような移動は、ベアラ・トラフィック・ルーティングをＰＳドメインからＣＳドメインに移動させる動作と、無線接続をＰＳ無線アクセス・ネットワークからＣＳ無線アクセス・ネットワークへ移動させる動作という、並行動作を必要とする。端末装置との間でベアラ・トラフィックを受け渡しするときのギャップを最小にするために、調整可能なタイマを利用して、端末装置のＰＳ無線技術からＣＳ無線技術への移動か、ベアラ・トラフィックのＰＳドメインからＣＳドメインへの移動のどちらかを遅らせる。さらに、無線アクセス・レベルでの移動を遅らせる場合に、無線アクセス技術間での移動の成功率を改善することができる新しい無線データを取得するための、追加のシグナリングも記載される。
2010517429.tif 000002
【特許請求の範囲】
【請求項１】
端末装置をパケット交換ドメインから回線交換ドメインにハンドオフする方法であって、
第１の時点で、前記端末装置を前記パケット交換ドメインから前記回線交換ドメインに移動させるステップと、
前記第１の時点より後の第２の時点で、前記端末装置に関連付けられたベアラ・トラフィックを前記パケット交換ドメインから前記回線交換ドメインに移動させるステップとを含む方法。
【請求項２】
前記第２の時点がタイマを用いて決定される、請求項１に記載の方法。
【請求項３】
前記タイマが回線交換ドメインで確立される、請求項２に記載の方法。
【請求項４】
前記タイマが調整可能である、請求項２に記載の方法。
【請求項５】
端末装置をパケット交換ドメインから回線交換ドメインにハンドオフする方法であって、
第１の時点で、前記端末装置に関連付けられたベアラ・トラフィックを前記パケット交換ドメインから前記回線交換ドメインに移動させるステップと、
前記第１の時点より後の第２の時点で、前記端末装置を前記パケット交換ドメインから前記回線交換ドメインに移動させるステップとを含む方法。
【請求項６】
前記第２の時点がタイマを利用することによって決定され、前記タイマが前記回線交換ドメインで確立される、請求項５に記載の方法。
【請求項７】
前記タイマが調整可能である、請求項６に記載の方法。
【請求項８】
新しい無線データを取得するために回線交換ドメインからパケット交換ドメインにシグナリングを伝送するステップをさらに含む、請求項５に記載の方法。
【請求項９】
前記シグナリングに応答して、提供すべき新しい無線データを前記パケット交換ドメインから前記回線交換ドメインに送るステップをさらに含む、請求項８に記載の方法。
【請求項１０】
前記新しい無線データが電力強度計測値を含む、請求項９に記載の方法。
【発明の詳細な説明】
【技術分野】
【０００１】
本発明は概ね通信システムに関し、より詳細にはパケット交換（ＰＳ）ドメインから回線交換（ＣＳ）ドメインへの音声呼およびデータ呼のハンドオフに関する。
【背景技術】
【０００２】
パケット交換（ＰＳ）技術は、電話、特に音声呼の受け渡しに利用されている。従来技術のシステムでは、音声呼は回線交換（ＣＳ）ネットワークでしか受け渡されなかった。セルラ電話の分野では、より旧型のＣＳ技術が利用され続けているものの、ＰＳ技術の領域が成長している。端末装置が、ＰＳ技術の通達範囲内にある間に呼を開始したが、ＣＳ技術しか含まない通達範囲に移動することがある。現在の技術に伴う１つの問題は、そうした呼、特に音声呼を交換機を横切ってＰＳ技術からＣＳ技術へと途切れずに移すことにある。
【０００３】
ＰＳ技術からＣＳ技術へと通信を移動させる間に枢要な要素は、端末装置が、ＰＳドメインおよびＣＳドメインの両方上のネットワークと通信する能力を有するかどうかである。例えば、端末装置内の２つの別々の送受信機能を用いて両ドメイン上での同時通信が可能である場合、ＰＳドメインからＣＳドメインへの移行をメイクビフォーブレイク動作（ｍａｋｅ−ｂｅｆｏｒｅ−ｂｒｅａｋ  ｏｐｅｒａｔｉｏｎ）として特徴付けることができる。
【０００４】
一方、端末装置が単一の送受信機能しか有していない場合、呼を維持しながら、ＰＳドメインからＣＳドメインへと移動することはより難題になる。提案されている１つの解決策は、ＣＳシグナリングを搬送するためのＰＳ無線技術をもつことである。この技術は、端末装置が単一の送受信機能しか有さないときに、ＰＳドメインからＣＳドメインに呼を移行させるのにかかる時間を短縮するために利用される。
【０００５】
しかし、単一の送受信機能のケースにおいて、ＰＳドメイン用およびＣＳドメイン用のセルラ無線アクセス・ネットワークが、端末装置のＰＳ無線技術からＣＳ無線技術への移動を、ベアラ・トラフィックのＰＳドメインからＣＳドメインへの移動と協調させないときは、依然として問題は存在する。
【０００６】
単一の送受信機能しか存在しない場合に、これらの完全に確立されたベアラ状態間を移行するのに必要な手順は、ＰＳ無線技術からＣＳ無線技術に端末装置を移行するのに要する時間に比べて、余分の時間がかかる可能性がある。無線技術間の移動は、ＰＳドメインからＣＳドメインへのベアラの移動とは非同期である。
【０００７】
端末装置のＰＳ無線技術からＣＳ無線技術への移動は、ＰＳドメインからＣＳドメインへのベアラの移動と並行に起こる。これらの移動が非同期な性質のものであることの望ましくない結果として、ベアラの移動が無線技術間の移動より長くかかる場合、端末装置は、ベアラがＰＳドメインから除去される前に、ＰＳ無線技術から離れてしまい、ベアラがＣＳドメイン上で完全に受け渡し可能になる前に、ＣＳ無線技術に到達してしまう可能性がある。さらに、ベアラをＰＳドメインからＣＳドメインに移動させるのにかかる時間にはばらつきがあり、これは、ベアラをサポートする機器におけるベアラ処理の速度、ベアラを移動させるのに使用されるシグナリング経路における待ち時間、およびベアラの移動に関与するシグナリング・ネットワークに対する負荷ファクタに依存する。
【０００８】
もう１つの問題は、端末装置がＰＳ無線アクセス技術からＣＳ無線アクセス技術に移動する方が、ベアラ・トラフィック・ストリームがＰＳドメインからＣＳドメインに移動するより時間がかかる可能性のあることである。このケースでは、その結果、端末装置がＰＳ無線アクセス・ネットワークから離れる前に、ベアラ・トラフィックがＰＳドメインから除去され、かつ端末装置からＣＳ無線アクセス・ネットワークへの通信経路が完成する前に、ＣＳドメインを介するベアラ・トラフィックが確立されてしまう可能性がある。
【０００９】
無線技術の面では、端末装置と無線アクセス・ネットワークとの間の信頼できるシグナリングがもはや不可能になる点まで、ＰＳ無線技術の通達範囲が縮小する前に、端末装置をＣＳ無線技術に移動させることが重要である。また、ＣＳ無線技術において、ＣＳ無線アクセス・ネットワークと端末装置との間で最良の無線通信を提供する、基地局セクタなどの無線アクセス・ポイントを選択することが重要である。無線チャンネルを選択するのに通常利用される電力強度測定値およびその他のデータが古くなった場合、それらは端末装置の無線状態をもはや正確には反映せず、ＰＳ無線技術からＣＳ無線技術に首尾よく移動することが難しくなる可能性がある。
【発明の概要】
【発明が解決しようとする課題】
【００１０】
したがって、従来技術に伴う問題なしに、端末装置をパケット交換（ＰＳ）ドメインから回線交換（ＣＳ）ドメインに移動させる方法が必要とされている。
【課題を解決するための手段】
【００１１】
本発明は、端末装置が、ＰＳ無線技術を用いてＰＳドメイン上でベアラ・トラフィックの処理を続ける間に、ベアラ・トラフィックが、ＰＳドメインからＣＳドメインへの移動を開始できるようにする。それにより、ハンドオフ手順中の音声ギャップが最小になり、したがってハンドオフの成功率が改善される。
【００１２】
また、調整可能なある時点において、一般的にハンドオフと呼ばれる、ＰＳ無線技術からＣＳ無線技術への端末装置の移動が開始される。この時点は、ＣＳ無線アクセス・ネットワーク上での端末装置の通信の確立を互いに協調させるように選択される。さらに、この時点は、電力強度測定値などの最新の無線データを取得し、それを利用して、端末装置のＰＳ無線技術からＣＳ無線技術への移動の成功率を最大にするために、ＣＳ無線技術において最良の無線環境を提供することを可能にするようにも選択される。それにより、ＰＳ無線ネットワークからＣＳ無線ネットワークへの成功裏のハンドオフが容易になる。
【００１３】
本発明の例示的一実施形態によると、呼の開始メッセージが、ＰＳドメインからＣＳドメインへのベアラ・トラフィックの移動をトリガする。このメッセージは、端末装置からＰＳ無線アクセス・ネットワーク上に送信され、ＰＳ無線アクセス・ネットワークからＣＳ無線アクセス・ネットワークへと転送されることが好ましい。
【００１４】
ＣＳ無線アクセス・ネットワークは、ＣＳドメインの呼制御コンポーネント、例えば移動交換局（Ｍｏｂｉｌｅ  Ｓｗｉｔｃｈｉｎｇ  Ｃｅｎｔｅｒ（ＭＳＣ））にメッセージを転送する。ＣＳ無線アクセス・ネットワークはタイマを、オペレータによって制御される時間量に設定する。
【００１５】
ＭＳＣは、ＰＳドメインからＣＳドメインへの、呼に対するベアラ・トラフィックの移動を開始させるシグナリングを送る。
【００１６】
ＣＳ無線アクセス・ネットワークによって設定されたタイマの設定時間が経過すると、ＣＳ無線アクセス・ネットワークは、端末装置のために更新された無線データを求める要求をＰＳ無線アクセス・ネットワークに送る。更新された無線データの例としては、電力強度測定値が挙げられる。
【００１７】
ＰＳ無線アクセス・ネットワークは、更新された無線データを取得し、それをＣＳ無線アクセス・ネットワークに送る。ＣＳ無線アクセス・ネットワークは、この無線データを利用して無線環境、例えば無線トラフィック・チャンネルを確立し、それが、シグナリングおよびベアラ・トラフィックを端末装置に伝達するのに使用される。
【００１８】
ＣＳ無線アクセス・ネットワークは、メッセージを作成し、ＰＳ無線アクセス・ネットワークに送る。このメッセージは、ＰＳ無線アクセス・ネットワークによって端末装置に転送され、端末装置のＰＳ無線技術からＣＳ無線技術への移動を開始させる。
【００１９】
端末装置は、ＣＳ無線技術に移動し、ＣＳ無線アクセス・ネットワークとの通信の確立を完了させる。移動は、例えば、端末装置がハンドオフを実行するときに行われる。ベアラ・トラフィックは、ＣＳドメインを介して端末装置に受け渡される。
【００２０】
要約すると、本発明は、ＰＳドメインからＣＳドメインへのベアラ・トラフィックの移動が開始される間に、タイマを利用して端末装置のためのＣＳ無線アクセス・ネットワーク環境のセットアップを遅らせるようにする。
【００２１】
さらに、本発明は、端末装置のためのＣＳ無線アクセス・ネットワーク環境の確立が開始される間に、タイマを利用して、ＰＳドメインからＣＳドメインへのベアラ・トラフィックの移動を遅らせるようにする。タイマは、好ましくは、端末装置のためのＣＳ無線環境のセットアップの完了、およびＣＳドメインを介するベアラ・トラフィックの受け渡しのための協調が最適化されるように調整可能である。
【００２２】
ＣＳ無線アクセス・ネットワークは、電力強度測定値などの新しい無線データをＰＳ無線アクセス・ネットワークに要求することができる。ＰＳ無線アクセス・ネットワークは、要求された新しい無線データを取得し、ＣＳ無線アクセス・ネットワークに供給する。
【図面の簡単な説明】
【００２３】
【図１】本発明の例示的一実施形態による、音声ギャップが無線の移動に起因する場合の、端末装置のＰＳ無線技術からＣＳ無線技術への移動と、ＰＳドメインからＣＳドメインへのベアラ・トラフィックの移動という、非同期的な移動のタイミングの諸側面を示す図である。
【図２】本発明の例示的一実施形態による、音声ギャップがベアラの移動に起因する場合の、端末装置のＰＳ無線技術からＣＳ無線技術への移動と、ＰＳドメインからＣＳドメインへのベアラ・トラフィックの移動という、非同期的な移動のタイミングの諸側面を示す図である。
【図３】本発明の例示的一実施形態による、音声ギャップが、無線が移動する前にベアラの移動が開始されたことに起因する場合の、ＰＳ無線技術からＣＳ無線技術への端末装置の移動と、ＰＳドメインからＣＳドメインへのベアラ・トラフィックの移動という、非同期的な移動のタイミングの諸側面を示す図である。
【図４】本発明の例示的一実施形態による、ベアラの移動の遅延が無線の移動の遅延より大きいとき、ベアラ・トラフィックのギャップを最小にする方法を示す流れ図である。
【図５】本発明の例示的一実施形態による、無線の移動の遅延がベアラの移動の遅延より大きいとき、ベアラ・トラフィックのギャップを最小にする方法を示す流れ図である。
【発明を実施するための形態】
【００２４】
本発明は、パケット交換ドメインと回線交換ドメインとの間におけるハンドオフの性能を改善する方法を提供する。ネットワークにおいて、ＰＳ無線アクセス・ネットワークもＣＳ無線アクセス・ネットワークも領域の一部において利用可能である。
【００２５】
本発明の例示的一実施形態によると、パケット交換ネットワークから回線交換ネットワークへの呼の移動は、４つの主要な段階で行われる。第１の段階は、ベアラ・トラフィックおよびシグナリングが呼制御部およびベアラ制御部からＰＳドメインに搬送されることを含むことが好ましい。次いで、トラフィックおよびシグナリングが、ＰＳ無線アクセス・ネットワークに搬送され、最後に端末装置に搬送される。トラフィックは、端末装置間をどちらの方向にも流れることができる。
【００２６】
第２の段階は、シグナリングが、端末装置からＰＳ無線アクセス・ネットワークを通り、次いでＣＳ無線アクセス・ネットワークに至る経路を介して確立されることを含むことが好ましい。次いでＣＳ無線アクセス・ネットワークが、シグナリングをＣＳドメインに搬送する。次いで、シグナリングがＣＳドメインから呼制御部およびベアラ制御部に搬送される。
【００２７】
第３の段階は、ベアラ・トラフィックおよびシグナリングのパケット交換コンポネントから回線交換コンポネントへの移動を含むことが好ましい。このとき、端末装置へと流れるベアラ・トラフィックは、呼制御部およびベアラ制御部からＣＳドメインへ、次いでＣＳ無線アクセス・ネットワークへ、最後に端末装置へと送られていく。それまでに呼制御部およびベアラ制御部からＰＳドメインへ、次いでＰＳ無線アクセス・ネットワークへ、最後に端末装置へと送られた、端末装置に向かう方向のベアラ・トラフィックがまだ残っていれば、それは流れ続ける。同様に、それまでに端末装置によりＰＳ無線アクセス・ネットワークに送られたベアラ・トラフィックがあれば、それはＰＳドメインを通り、次いで呼制御部およびベアラ制御部へと流れ続ける。
【００２８】
第４の段階は、ＣＳドメインへのベアラ・トラフィックの移動の最終状態を含むことが好ましい。端末装置とＰＳ無線アクセス・ネットワークとの間のシグナリング経路およびベアラ・トラフィック経路は、もはや使用されないことが好ましい。同様に、端末装置に対する、ＰＳ無線アクセス・ネットワークとＰＳドメインとの間ならびにＰＳドメインと呼制御部およびベアラ制御部との間の、シグナリング経路およびベアラ・トラフィック経路も、もはや使用されないことが好ましい。
【００２９】
図１は、ＰＳ無線技術からＣＳ無線技術への端末装置の移動と、ＰＳドメインからＣＳドメインへのベアラ・トラフィックの移動という、非同期的な移動のタイミングの諸側面を示す図である。具体的には、時点１００において、端末装置はＰＳ無線技術を離れ、その結果、もはやＰＳドメインを介してシグナリングおよびベアラ・トラフィックを送受信してはいない。時点１１０において、ベアラ・トラフィックが、ＰＳドメインからもはや送受信されてはいない。時点１２０において、ベアラ・トラフィックがＣＳドメイン上で利用可能になる。時点１３０において、端末装置が、ＣＳ無線技術との接続手順を完了し、それによりＣＳドメインを介してシグナリングおよびベアラ・トラフィックを送受信できるようになる。これらの動作は、好ましくは時点１００で始まり時点１３０で終了する、ベアラ・トラフィック・ギャップ（例えば、音声ギャップ）１４０をもたらす。このベアラ・トラフィック・ギャップ１４０は、その端末装置のユーザによって感知されるとおりである。特に、図１において、ベアラ・トラフィック・ギャップ１４０は、無線接続時間の短縮により最小にされることが好ましい。
【００３０】
図２は、ＰＳ無線技術からＣＳ無線技術への端末装置の移動と、ＰＳドメインからＣＳドメインへのベアラ・トラフィックの移動という、非同期的な移動のタイミングの諸側面を示す図である。例示的一実施形態によると、時点２００において、端末装置はＰＳ無線技術を離れ、その結果ＰＳドメインを介してシグナリングおよびベアラ・トラフィックをもはや送受信してはいない。同じ時点２１０において、ベアラ・トラフィックが、ＰＳドメインからもはや送受信されてはいない。時点２２０において、ベアラ・トラフィックはＣＳドメイン上で利用可能になる。時点２３０において、端末装置は、ＣＳ無線技術との接続手順を完了し、それによりＣＳドメインを介してシグナリングおよびベアラ・トラフィックを送受信できるようになる。これらの動作は、時点２００で始まり、時点２２０で終了するベアラ・トラフィック・ギャップ（例えば、音声ギャップ）２４０をもたらす。このベアラ・トラフィック・ギャップ２４０は、その端末装置のユーザによって感知されるとおりである。図２に示す例示的実施形態によると、ベアラ・トラフィック・ギャップ２４０は、ＰＳドメインとＣＳドメインとの間でのベアラの移動時間を短縮することによって最小にされる。
【００３１】
図３は、ＰＳ無線技術からＣＳ無線技術への端末装置の移動と、ＰＳドメインからＣＳドメインへのベアラ・トラフィックの移動という、非同期的な移動のタイミングの諸側面を示す図である。具体的には、時点３００において、端末装置はＰＳ無線技術を離れ、その結果、もはやＰＳドメインを介してシグナリングおよびベアラ・トラフィックを送受信してはいない。しかし、時点３１０において、ベアラ・トラフィックがＰＳドメインからもはや送受信されてはいず、それは時点３００より前に行われる。時点３２０において、ベアラ・トラフィックはＣＳドメイン上で利用可能になる。時点３３０において、端末装置が、ＣＳ無線技術との接続手順を完了し、それによりＣＳドメインを介してシグナリングおよびベアラ・トラフィックを送受信できるようになることが好ましい。これらの動作が、時点３１０で始まり、時点３３０で終了するベアラ・トラフィック・ギャップ（例えば、音声ギャップ）３４０をもたらすことが好ましい。ベアラ・トラフィック・ギャップ３４０は、その端末装置のユーザによって感知されるとおりである。ベアラ・トラフィック・ギャップ３４０は、端末装置がＣＳ無線技術を介してシグナリングおよびベアラ・トラフィックを送受信できる時点３３０を、ＣＳドメインがベアラ・トラフィックを送受信する準備ができた時点３２０と協調させることによって最小にされることが好ましい。
【００３２】
図４は、ベアラ・トラフィックがＰＳドメイン４３０からＣＳドメイン４４０に移動する時間が、端末装置４００がＰＳ無線アクセス・ネットワーク４１０への接続からＣＳ無線アクセス・ネットワーク４２０への接続へと移動する時間より長い場合に、ベアラ・トラフィック・ギャップ、例えば音声ギャップを最小にするための様々なエンティティ間における通信の図の例を示す。
【００３３】
端末装置４００は、ベアラ・トラフィック４６０をＰＳ無線アクセス・ネットワーク４１０に伝達する。ＰＳ無線アクセス・ネットワーク４１０は、その同じベアラ・トラフィック４６０をＰＳドメイン４３０に伝達し、ＰＳドメイン４３０は、そのベアラ・トラフィック４６０を制御機能４５０の制御の下で他の外部ノードに伝達する。
【００３４】
メッセージ４６１が端末装置４００からＰＳ無線アクセス・ネットワーク４１０に送られて、ベアラのＣＳドメイン４４０への移動が開始される。
【００３５】
メッセージ４６２が、ＣＳ無線アクセス・ネットワーク４２０に転送される。メッセージ４６２は、ＣＳドメイン４４０へのベアラの移動を開始させる。例示的一実施形態によると、ＰＳ無線アクセス・ネットワーク４１０はメッセージ４６１をメッセージ４６２として転送する。
【００３６】
ＰＳドメイン４３０からＣＳドメイン４４０へのベアラの移動を開始させるためのメッセージ４６３が、ＣＳ無線アクセス・ネットワーク４２０からＣＳドメイン４４０に送られる。
【００３７】
ＣＳ無線アクセス・ネットワーク４２０は、端末装置４００をＰＳ無線アクセス・ネットワーク４１０からＣＳ無線アクセス・ネットワーク４２０に移動させる手順の開始を遅らせるように、調整可能な内部タイマを設定する（４６４）。
【００３８】
ＣＳドメイン４４０は、制御機能４５０にメッセージ４６５を送って、ＣＳドメイン４４０へのベアラの移動を開始させる。
【００３９】
ある時点で、調整可能な内部タイマの設定時間が経過する（４６６）。この時点で、ＣＳ無線アクセス・ネットワーク４２０は、所望の時間量を得るために、ＰＳ無線アクセス・ネットワーク４１０からＣＳ無線アクセス・ネットワーク４２０に端末装置４００を移動させる手順の開始を遅らせている。
【００４０】
ＣＳ無線アクセス・ネットワーク４２０は、そのリソースの確立手順を、端末装置４００の現在の無線環境を正確に、できるだけ厳密に表すデータに基づくものにするために、ＰＳ無線アクセス・ネットワーク４１０に新しい無線データを要求するメッセージ４６７を送る。この新しい無線データを使用することにより、端末装置４００のＣＳ無線アクセス・ネットワーク４２０への接続を獲得する際の成功率を最大にすることができる。
【００４１】
ＰＳ無線アクセス・ネットワーク４１０は、要求された新しい無線データ４６８を提供する。
【００４２】
制御機能４５０は、ベアラ・トラフィックをＰＳドメイン４３０からＣＳドメイン４４０に移動させる（４６９）。パケット交換ネットワークを通過中のどのベアラ・トラフィックも端末装置４００から上方に流れ続けるので、端末装置４００の方向に通信の他方のエンドポイントに向かう一部のベアラ・トラフィックが存続することが可能である。例示的一実施形態によると、ステップ４６９は、ステップ４６５の後、ステップ４７４の前に行われる。
【００４３】
ＣＳ無線アクセス・ネットワーク４２０は、端末装置４００のＣＳ無線アクセス・ネットワーク４２０への接続をサポートするのに利用されるリソースを内部的に割り振り（４７０）、調整する。
【００４４】
ＣＳ無線アクセス・ネットワーク４２０は、ＰＳ無線アクセス・ネットワーク４１０にメッセージ４７１を送って、端末装置４００のＣＳ無線アクセス・ネットワーク４２０への接続を開始させる。
【００４５】
ＰＳ無線アクセス・ネットワーク４１０は、メッセージ４７１をメッセージ４７２として端末装置４００に転送して、端末装置４００のＣＳ無線アクセス・ネットワーク４２０への接続を開始させる。
【００４６】
端末装置４００は、ＣＳ無線アクセス・ネットワーク４２０に接続するのに必要な接続確立手順を完了する（４７３）。
【００４７】
制御機能４５０は、ベアラ・トラフィックの回線交換ネットワークへの移動を完了させるようＣＳドメイン４４０に指示する（４７４）。
【００４８】
ステップ４７５において、ベアラ・トラフィックは、端末装置４００とＣＳ無線アクセス・ネットワーク４２０との間、ＣＳ無線アクセス・ネットワーク４２０とＣＳドメイン４４０との間、およびＣＳドメイン４４０と制御部４５０との間で、どちらの方向へも流れることができる。
【００４９】
図５は、ベアラ・トラフィックをＰＳドメイン５３０からＣＳドメイン５４０に移動させる時間が、端末装置５００をＰＳ無線アクセス・ネットワーク５１０への接続からＣＳ無線アクセス・ネットワーク５２０への接続へと移動させる時間より短い場合に、ベアラ・トラフィックのギャップ、例えば、音声ギャップを最小にするための、様々なエンティティ間における通信を示す図である。
【００５０】
ステップ５６０において、端末装置５００は、ベアラ・トラフィックをＰＳ無線アクセス・ネットワーク５１０に伝達する。ＰＳ無線アクセス・ネットワーク５１０は、その同じベアラ・トラフィックをＰＳドメイン５３０に伝達し、ＰＳドメイン５３０は、そのベアラ・トラフィックを制御機能５５０の制御の下で、他の外部ノードに伝達する。
【００５１】
メッセージ５６１が端末装置５００からＰＳ無線アクセス・ネットワーク５１０に送られて、ＣＳドメイン５４０へのベアラの移動が開始される。
【００５２】
メッセージ５６２がＣＳ無線アクセス・ネットワーク５２０に転送されて、ＣＳドメイン５３０へのベアラの移動が開始される。
【００５３】
ＰＳドメイン５３０からＣＳドメイン５４０へのベアラの移動を開始させるメッセージ５６３が、ＣＳ無線アクセス・ネットワーク５２０からＣＳドメイン５４０に送られる。
【００５４】
ＣＳドメイン５４０は、調整可能な内部タイマを、ベアラ・トラフィックをＰＳドメイン５３０からＣＳドメイン５４０に移動させるための手順の開始を遅らせるように設定する（５６４）。
【００５５】
ＣＳ無線アクセス・ネットワーク５２０は、端末装置５００のＣＳ無線アクセス・ネットワーク５２０への接続をサポートするのに使用されるリソースを内部的に割り振り、調整する（５６５）。
【００５６】
ＣＳ無線アクセス・ネットワーク５２０は、ＰＳ無線アクセス・ネットワーク５１０にメッセージ５６６を送って、端末装置５００のＣＳ無線アクセス・ネットワーク５２０への接続を開始させる。
【００５７】
ＰＳ無線アクセス・ネットワーク５１０は、メッセージ５６６をメッセージ５６７として端末装置５００に転送して、端末装置５００のＣＳ無線アクセス・ネットワーク５２０への接続を開始させる。
【００５８】
ステップ５６８において、ステップ５６４で設定された調整可能な内部タイマの設定時間が経過する。この時点で、ＣＳドメイン５４０は所望の時間量を得るために、ベアラ・トラフィックをＰＳドメイン５３０からＣＳドメイン５４０に移動させる手順の開始を遅らせている。
【００５９】
ＣＳドメイン５４０は、制御機能５５０にメッセージ５６９を送って、ＰＳドメイン５３０からＣＳドメイン５４０へのベアラ・トラフィックの移動を開始させる。
【００６０】
ステップ５７０において、制御機能５５０は、ベアラ・トラフィックをＰＳドメイン５３０からＣＳドメイン５４０に移動させる。パケット交換ネットワークを通過中のどのベアラ・トラフィックも、端末装置５００から上方に流れ続けるので、端末装置５００の方向に通信の他のエンドポイントに向かう一部のベアラ・トラフィックが存続することが可能である。
【００６１】
端末装置５００は、メッセージ５７１をＣＳ無線アクセス・ネットワーク５２０に送ることにより、ＣＳ無線アクセス・ネットワーク５２０に接続するのに必要な接続確立手順を完了する。
【００６２】
ステップ５７２において、制御機能５５０は、ＣＳドメイン５４０にメッセージ５７２を送ることにより、ベアラ・トラフィックの回線交換ネットワークへの移動を完了させるよう指示する。
【００６３】
ステップ５７３において、ベアラ・トラフィックは、端末装置５００とＣＳ無線アクセス・ネットワーク５２０との間、ＣＳ無線アクセス・ネットワーク５２０とＣＳドメイン５４０との間、およびＣＳドメイン５４０と制御部５５０との間で、どちらの方向へも流れることができる。
【００６４】
それにより、本発明は、ＰＳ無線技術とＣＳ無線技術との間での端末装置の移動、およびＰＳドメインとＣＳドメインとの間でのベアラ・トラフィック・ストリームの移動という、並行な移動が、そうした移動中に音声呼中にギャップを含む状況を解決する。この状況において、そうした移動中に、音声呼中のギャップを最小にすることが望まれる。さらに、ＰＳ無線技術とＣＳ無線技術との間での端末装置の移動の成功率を最大にする必要がある。本発明は、例示的一実施形態において、並行移動動作を十分早く開始し、それにより端末装置がＰＳ無線技術上で必要なすべてのシグナリングを確実に受信できるようにすることで、そうした問題を解決する。さらに、本発明は、ＰＳ無線アクセス・ネットワークから得られる電力強度計測値など追加の無線データを利用して、無線トラフィック・チャンネルなど、ＣＳ無線アクセス・ネットワーク内の無線環境を適切にセットアップすることにより、従来技術の問題点を解決する。さらに、本発明は、端末装置のＣＳ無線技術への到達を、ＣＳドメイン上でのベアラ・トラフィックの確立完了と協調させることができるようになる時間まで、端末装置が、ＰＳ無線技術上に留まることができるようにする。
【００６５】
本発明を、そのいくつかの例によって説明してきたが、本発明は上記の説明に限定されるものではなく、添付の特許請求の範囲に定義されている範囲にのみ限定される。
【図１】
2010517429.tif 000003
【図２】
2010517429.tif 000004
【図３】
2010517429.tif 000005
【図４】
2010517429.tif 000006
【図５】
2010517429.tif 000007
【国際調査報告】
2010517429.tif 000008
2010517429.tif 000009
2010517429.tif 000010